(57)【要約】      （修正有）【課題】単にキーワード数だけでなく、選択した優先順位が付されたシソーラスを考慮したキーワードの網羅度とキーワード数から公報のランキングを表示することができる公報検索システムを提供する。【解決手段】ＣＰＵ１と入力手段と表示手段とメモリ３を有する公報データベース２に接続された装置において、前記入力手段よりキーワード及びその前記キーワードの優先順位と検索対象エリアを選択して、出力結果の最大数（ＭＡＸ数）を入力し、前記入力されたキーワードは、キーワード毎にシソーラス化を行い、シソーラス化されたワード群もキーワードと対にメモリに保存され、公報ＤＢから前記入力された対象エリアにおいて検索を行い、前記キーワードとシソーラス化されたワードのそれぞれの数を算出して、あらかじめ定められた順に前記ＭＡＸ数を限度として公報番号をランキング形式で並べて表示する。【選択図】図１
0003207215.tif 000002
【実用新案登録請求の範囲】
【請求項１】
ＣＰＵとメモリを有する装置において、入力手段よりキーワード及び優先順位と対象エリア、ＭＡＸ数を入力し、前記入力されたキーワードはシソーラス化を行い公報ＤＢから前記入力された対象エリアにおいて、前記キーワード数を算出してあらかじめ定められた順にＭＡＸ数を限度として公報番号をランキング形式で並べることを特徴とする文書検索システム。
【請求項２】
上記請求項１の定められた順は、キーワードの網羅度であり、同じ網羅度でも優先順位の高いキーワードの個数の多い文献の方が上位になるようにした上記請求項１の文書検索システム。
【請求項３】
上記請求項１の定められた順は、優先順位の高いキーワードの個数が多い文献番号が上位になり、上記請求項２の機能と本機能の切換えができ、検索結果の表示・印刷・保存が可能な文書検索システム。
【請求項４】
上記請求項３において、非特許文献や外国語公報の検索を文章内の特徴的ワードから判断して非特許文献や外国語公報にも対応した文書検索システム。
【考案の詳細な説明】
【技術分野】
【０００１】  本考案は、類似する文書を検索するシステムに関するものである。
【背景技術】
【０００２】  選択したキーワードを含む度合い（数）による公報表示機能はあるが、シソーラスや網羅度を考慮したものはない。【０００３】
【先行技術文献】
【特許文献】
【０００４】
【特許文献１】特開２００３−１５７２６２号公報
【考案の概要】
【考案が解決しようとする課題】
【０００５】  例えば特許公報検索等で単に選択したキーワード数を多く含む文献が必ずしも最も類似した文献とは限らない。
【課題を解決するための手段】
【０００６】  本考案は、単にキーワード数だけでなく、選択した優先順位が付されたシソーラスを考慮したキーワードの網羅度とキーワード数から公報のランキングを表示することを特徴とする。
【考案の効果】
【０００７】  本考案の文書検索システムは、選択した優先順位が付されたキーワードの網羅度とキーワード数から公報のランキングを表示することで効率的に類似する公報の検索を可能とする。尚、本考案は、特許公報検索の用途に留まらず一般的な類似文書の検索に適用できる。
【図面の簡単な説明】
【０００８】
【図１】図１は構成図
【図２】図２は所定のフォーマットイメージ
【図３】図３は処理フロー
【考案を実施するための形態】
【実施例１】
【０００９】  図１に示すように、この考案に係るデータ検索装置は、ＣＰＵとＤＢ及びメモリとＣＲＴ・キーボード・マウスから構成される。図２に示すように、処理フロ−はキーボードなどの入力手段により、キーワード及びその優先順位と対象エリア、ＭＡＸ数を入力する。これらはユーザのメモリエリアに保存される。
次に入力されたキーワード毎にシソーラス化処理を行い、それらは各キーワードに対応してユーザメモリエリアに保存される。【００１０】次に、ＤＢより対象エリアにおいて、シソーラスを含めたキーワードが含まれる文献を検索して、キーワードの優先順位に従い、シソーラスを含めたキーワードが含まれる個数の多い順に文献番号をＭＡＸ数を限度としてユーザメモリエリア（ワークエリア）にランキング形式で並べられる。
このユーザメモリエリア内に並べられた各文献番号毎に前記キーワードまたは各キーワード毎のシソーラスが含まれている割合（網羅度）を算出して、その順位をメモリエリア内の所定の欄に格納する。このときに、同じ網羅度である場合には、優先順位の高いシソーラスを含めたキーワードの個数の多い文献の方が上位になるようにする。【００１１】ここでユーザにキーワード順か網羅度順のいずれかの表示形式を選択できる画面を表示する。
キーワード順を選択した場合は、前記メモリエリア内に格納したデータを所定のフォーマットで画面に表示させる。
網羅度順を選択した場合は、前記メモリエリア内に格納した文献番号を、前記算出して格納した網羅度順に並び換える。この並び換えた所定のフォーマットで画面に表示する。画面に表示された表は、ハードデイスクまたは保存媒体に名前を付けて所定のフォーマットで保存や印刷ができるものとする。保存・印刷後またはこれをスキップする場合には、検索を続けるかどうかの選択画面が表示される。
【産業上の利用可能性】
【００１２】  非特許文献や外国特許文献にも適用が可能。
【符号の説明】
【００１３】１．ＣＰＵ
２．ＤＢ（シソーラス含む）
３．メモリ
４．ＣＲＴ・プリンタ
５．キーボード・マウス
【図１】
0003207215.tif 000003
【図２】
0003207215.tif 000004
【図３】
0003207215.tif 000005
【手続補正書】
【提出日】平成28年4月19日(2016.4.19)
【手続補正１】
【補正対象書類名】実用新案登録請求の範囲
【補正対象項目名】全文
【補正方法】変更
【補正の内容】
【実用新案登録請求の範囲】
【請求項１】
ＣＰＵと入力手段と表示手段とメモリを有する公報データベースに接続された装置において、前記入力手段よりキーワード及びその前記キーワードの優先順位と検索対象エリアを選択して、出力結果の最大数（ＭＡＸ数）を入力し、前記入力されたキーワードは、キーワード毎にシソーラス化を行い、シソーラス化されたワード群もキーワードと対にメモリに保存され、公報ＤＢから前記入力された対象エリアにおいて検索を行い、前記キーワードとシソーラス化されたワードのそれぞれの数を算出して、あらかじめ定められた順に前記ＭＡＸ数を限度として公報番号をランキング形式で並べて表示することを特徴とする公報検索システム。
【請求項２】
上記請求項１の定められた順は、キーワードとキーワード毎にシソーラス化されたワードの網羅度であり、同じ網羅度でも優先順位の高いキーワードの個数を多く含む公報の公報番号が上位になることとする上記請求項１の公報検索システム。
【請求項３】
上記請求項１の定められた順は、前記２記載の順または前期入力手段により入力した優先順位の高いキーワードの個数を多く含む文献の番号が上位となる順との間で切換えができる上記請求項１の公報検索システム。
【請求項４】
検索結果の印刷・保存が可能な上記請求項１の公報検索システム。
【手続補正書】
【提出日】平成28年8月2日(2016.8.2)
【手続補正１】
【補正対象書類名】実用新案登録請求の範囲
【補正対象項目名】全文
【補正方法】変更
【補正の内容】
【実用新案登録請求の範囲】
【請求項１】
ＣＰＵと入力手段と表示手段とメモリを有する公報データベースに接続された装置において、前記入力手段よりキーワード及びその前記キーワードの優先順位と検索対象エリアを選択して、出力結果の最大数（ＭＡＸ数）を入力し、前記入力されたキーワードは、キーワード毎にシソーラス化を行い、シソーラス化されたワード群もキーワードと対にメモリに保存され、公報ＤＢから前記入力された対象エリアにおいて検索を行い、前記キーワードとシソーラス化されたワードのそれぞれの数を算出して、あらかじめ定められた順に前記ＭＡＸ数を限度として公報番号をランキング形式で並べて表示することを特徴とする公報検索システム。
【請求項２】
上記請求項１の定められた順は、キーワードとキーワード毎にシソーラス化されたワードの網羅度であり、同じ網羅度でも優先順位の高いキーワードの個数を多く含む公報の公報番号が上位になることとする上記請求項１の公報検索システム。
【請求項３】
上記請求項１の定められた順は、前記請求項２記載の順または前記入力手段により入力した優先順位の高いキーワードの個数を多く含む前記公報番号が上位となる順との間で切換えができる上記請求項１の公報検索システム。
【請求項４】
検索結果の印刷・保存が可能な上記請求項１の公報検索システム。